(57)【要約】【課題】使い捨ての着用物品に取り付けたファスニングテープの脱落を防止する。【解決手段】使い捨ての着用物品１の外面が熱可塑性合成繊維からなる不織布によって形成される。ファスニングテープ１６のテープ片５０がＺ字型および逆Ｚ字型のいずれかに折り畳まれた状態で着用物品１の外面に第１接着剤６１を介して取り付けられる。テープ片５０が取り付けられている部位の少なくとも一部分において、不織布がフィルム状の外面を形成する。【選択図】図２
2005124871.tif 000002
【特許請求の範囲】
【請求項１】
股下域と、前記股下域の前方に位置する前胴周り域と、前記股下域の後方に位置する後胴周り域とを有し、これら各域が内外面と前記股下域の前後方向に並行して延びる一対の側縁部とを有し、前記前後胴周り域はさらに前記側縁部に交差して前記股下域の幅方向へ延びる端縁部を有し、前記前後胴周り域いずれかの前記外面には前記側縁部および前記端縁部いずれかの近傍に、Ｚ字型および逆Ｚ字型いずれかの形状に伸展可能に折り畳まれたテープ片と前記テープ片に設けられたファスニング手段とを含むファスニングテープが取り付けられている使い捨ての着用物品において、
前記前後胴周り域の外面が熱可塑性合成繊維からなる不織布によって形成されており、前記ファスニングテープの前記テープ片は、前記不織布と向かい合う面が接着剤を介して前記不織布に接合し、前記不織布は、前記テープ片が接合する部位の少なくとも一部分において前記合成繊維の複数条が互いに溶着して一体となりフィルム状の外面を形成していることを特徴とする前記着用物品。
【請求項２】
前記不織布が坪量１０〜５０ｇ／ｍ２のものである請求項１記載の着用物品。
【請求項３】
前記着用物品がパンツ型のものであって、前記前後胴周り域の前記側縁部どうしが重なりあって互いに溶着しており、その溶着する部位における前記合成繊維が前記フィルム状の外面を形成し、そのフィルム状の外面に前記テープ片が接合している請求項１または２記載の着用物品。
【請求項４】
前記不織布は、前記テープ片が前記不織布と接合している部位のうちで、前記テープ片が伸展する方向における両端部分の少なくとも一方と向かい合う部位に前記フィルム状の外面を有している請求項１〜３のいずれかに記載の着用物品。
【発明の詳細な説明】
【技術分野】
【０００１】
この発明は使い捨ての着用物品に関し、より詳しくはファスニングテープが取り付けられており、おむつ等として使用するのに好適な使い捨ての着用物品に関する。
【背景技術】
【０００２】
米国特許第４，２３７，８９０号明細書（特許文献１）には、使い捨てのおむつに使用するファスニング手段としてＳ字型またはＺ字型に伸展可能に折り畳まれたテープ片からなるものが開示されている。テープ片は、その第１端部が第１感圧接着剤を介しておむつの外面に固定されており、第１端部の反対端部である第２端部が引っ張られることによって伸展する。第２端部の内面には、第２感圧接着剤が塗布されている。
【０００３】
米国特許第５，１８２，１５６号明細書（特許文献２）にもまたＺ字型に折り畳まれたテープ片からなるファスニングテープが開示されている。このファスニングテープは、特許文献１に開示のファスニングテープと同様に使用される。
【０００４】
特開平２−４３７２号公報（特許文献３）には、ファスナシステムを有する使い捨て吸収性製品が開示されている。そのファスナシステムにはＹ字型のテープ片が使用されている。
【特許文献１】米国特許第４，２３７，８９０号明細書
【特許文献２】米国特許第５，１８２，１５６号明細書
【特許文献３】特開平２−４３７２号公報
【発明の開示】
【発明が解決しようとする課題】
【０００５】
特許文献１，２に開示のＺ字型に折り畳まれているテープ片は、それが引っ張られて伸展するときに、おむつ外面との間に剥離力が作用して、その外面から簡単に剥離してしまうことがある。その剥離を防止するために、感圧性接着剤の接着力を強くすることは有効である。しかし、そのような接着力を有するテープ片が不織布で形成された外面に対して取り付けられていると、テープ片が引っ張られたときに、不織布の組織、換言すると不織布を形成している繊維の絡み合いが解けることによって、テープ片がその繊維とともにおむつから脱落するということがある。
【０００６】
特許文献３において使用されているＹ字型のテープ片は、それに塗布された感圧性接着剤を介しておむつの外面と内面とに対して固定されるので、それが引っ張られたときにおむつから簡単に脱落するということはない。しかし、このテープ片は、その設計の如何にもよるが、一般的にはＺ字型に折り畳まれているテープ片ほどには長く伸展しない。
【０００７】
そこで、この発明が課題とするところは、外面が不織布で形成されている使い捨ての着用物品において、Ｚ字型または逆Ｚ字型に折り畳まれてその外面に取り付けられたファスニングテープが、それの使用に当たって引っ張られたときに着用物品から脱落してしまうということがないように改良を施すことにある。
【課題を解決するための手段および発明の効果】
【０００８】
前記課題解決のために、この発明が対象とするのは、股下域と、前記股下域の前方に位置する前胴周り域と、前記股下域の後方に位置する後胴周り域とを有し、これら各域が内外面と前記股下域の前後方向に並行して延びる一対の側縁部とを有し、前記前後胴周り域はさらに前記側縁部に交差して前記股下域の幅方向へ延びる端縁部を有し、前記前後胴周り域いずれかの前記外面には前記側縁部および前記端縁部いずれかの近傍に、Ｚ字型および逆Ｚ字型いずれかの形状に伸展可能に折り畳まれたテープ片と前記テープ片に設けられたファスニング手段とを含むファスニングテープが取り付けられている使い捨ての着用物品である。
【０００９】
かかる着用物品において、この発明が特徴とするところは、次のとおりである。前記前後胴周り域の外面は、熱可塑性合成繊維からなる不織布によって形成されている。前記ファスニングテープの前記テープ片は、前記不織布と向かい合う面が接着剤を介して前記不織布に接合している。前記不織布は、前記テープ片が接合する部位の少なくとも一部分において前記合成繊維の複数条が互いに溶着して一体となりフィルム状の外面を形成している。
【００１０】
かように構成される使い捨ての着用物品のファスニングテープは、着用物品の外面を形成している不織布のフィルム状に変化している部位にテープ片が接着剤を介して接合しているから、その接着剤の接着力が強くても、ファスニングテープが引っ張られたときに、不織布の組織が破壊されてファスニングテープが着用物品から脱落するということがない。
【００１１】
この発明の実施態様の一つにおいて、前記不織布は、坪量１０〜５０ｇ／ｍ２のものである。この発明によれば、着用物品の外面がこのように小さな坪量の不織布によって形成されていても、その不織布の組織が破壊されてファスニングテープがその着用物品から脱落するということを防ぐことができる。
【００１２】
この発明の実施態様の他の一つにおいては、前記着用物品がパンツ型のものであって、前記前後胴周り域の前記側縁部どうしが重なりあって互いに溶着しており、その溶着する部位における前記合成繊維が前記フィルム状の外面を形成し、そのフィルム状の外面に前記テープ片が接合している。この態様の着用物品では、前後胴周り域の側縁部どうしが接合するときに不織布によって形成されるフィルム状の外面を利用してファスニングテープが取り付けられるから、ファスニングテープの取り付けのみを目的にして不織布をフィルム状の外面を形成する必要がない。
【００１３】
この発明の実施態様のさらに他の一つにおいて、前記不織布は、前記テープ片が前記不織布と接合している部位のうちで、前記テープ片が伸展する方向における両端部分の少なくとも一方と向かい合う部位に前記フィルム状の外面を有している。この発明に係る着用物品のテープ片は、不織布と向かい合っている部位における両端部分のうちの少なくとも一方がフィルム状の外面と接合していることによって、ファスニングテープの着用物品からの脱落を防止することができる。
【発明を実施するための最良の形態】
【００１４】
この発明に係る使い捨ての着用物品の詳細を添付の図面を参照して説明すると、以下のとおりである。
【００１５】
図１は、使い捨ての着用物品の一例である使い捨てのパンツ型おむつ１の部分破断斜視図である。おむつ１は、おむつ着用者の肌と向かい合う内面を形成している内面シート２０と、おむつ着用者の着衣と向かい合う外面を形成している外面シート３０と、これら両シート２０，３０の間に介在する吸液性コア４０とを有する。内面シート２０は、透液性のものであって、熱可塑性合成繊維からなる不織布または熱可塑性合成樹脂からなる開孔フィルムで形成されており、内面２０ａと外面２０ｂとを有する。外面シート３０は、熱可塑性合成繊維からなる不織布で形成された第１外面シート３１と、熱可塑性合成樹脂からなるフィルムで形成されており第１外面シート３１の内面にホットメルト接着剤２（図２参照）を介して間欠的に接合している不透液性の第２外面シート３２とからなり、第１外面シート３１によって外面シート３０の外面３０ｂが形成され、第２外面シート３２によって外面シート３０の内面３０ａが形成されている。コア４０は、粉砕パルプ、粉砕パルプと高吸水性ポリマーとの混合物等の周知ないし公知の吸液性材料で形成されている。おむつ１はまた、股下域７と、股下域７の前方に位置する前胴周り域５と、股下域７の後方に位置する後胴周り域６とを有するが、図１のおむつ１は後方から見た状態で画かれており、後胴周り域６が前胴周り域５よりも手前側に位置している。内面シート２０と外面シート３０とは、コア４０の周縁から延出して重なり合い、内面シート２０と第２外面シート３２とが接合部位１５で、溶着または接着により、おむつ１の胴周り方向において間欠的となるように接合することによって、前後胴周り域５，６と股下域７との側縁部９ａ，９ｂ，９ｃを形成し、さらに前胴周り域５における前端縁部１０ａと後胴周り域６における後端縁部１０ｂとを形成している。前後胴周り域５，６では、側縁部９ａ，９ｂどうしが合掌状に重なり合い、おむつ１の上下方向に間欠的に並ぶ接合域１５において一体となって胴周り開口１１を形成するとともに、股下域７と協働して一対の脚周り開口１２を形成している。胴周り開口１１と脚周り開口１２との周縁部では、複数条の胴周り弾性部材１３と複数条の脚周り弾性部材１４とが内面シート２０と外面シート３０との間にあって、これらシート２０，３０の少なくとも一方の内面に伸長状態で接合している。後胴周り域６の側縁部９ｂのそれぞれには、ファスニングテープ１６が取り付けられている。ファスニングテープ１６は、前後胴周り域５，６をおむつ着用者の胴部に密着させたり、使用後のおむつ１を丸めたりするために使用される（図４参照）。
【００１６】
図２は、図１のＩＩ−ＩＩ線切断面を示す図である。ファスニングテープ１６は、胴周り方向へＺ字型および逆Ｚ字型のいずれかに折り畳まれているもので、図２ではそれがＺ字型に折り畳まれている。ファスニングテープ１６の摘持域５２ｃを摘んで図の左方、すなわち矢印Ａが示す側縁部９ｂの外側へ向かって引っ張ると、ファスニングテープ１６はその長さ方向へ伸展する（図３参照）。
【００１７】
図２のファスニングテープ１６は、テープ片５０とファスニング手段とを有する。テープ片５０は、それが伸展したときに第１外面シート３１と向かい合う内面ｍと、その反対面である外面ｎとを有する。図のようにＺ字型に折り畳まれているテープ片５０は、第１外面シート３１と向かい合う第１テープ部５１と、摘持部５２ｃを有する第２テープ部５２と、第１テープ部５１と第２テープ部５２との間に介在する第３テープ部５３とからなる。第１テープ部５１は、第１外面シート３１と向かい合う面の全体が第１接着剤６１を介して第１外面シート３１に取り付けられており、おむつ１の幅を二等分する中心線Ｐ−Ｐ（図１参照）寄りに位置する内端部５１ａと、その反対側の側縁部９ｂ寄りに位置する外端部５１ｂとを有する。第２テープ部５２は、中心線Ｐ−Ｐ寄りに位置する内端部５２ａと、側縁部９ｂ寄りに位置する外端部５２ｂとを有し、外端部５２ｂの先端部分に摘持域５２ｃが形成されている。第３テープ部５３は、第２テープ部５２の内端部５２ａにつながる内端部５３ａと第１テープ部５１の外端部５１ｂにつながる外端部５３ｂとを有する。第２テープ部５２は、第３テープ部５３と向かい合う内面ｍのうちで摘持域５２ｃと内端部５２ａとの内面ｍを除く部分にファスニング手段を形成する感圧性の第２接着剤６２が塗布されており、第３テープ部５３の内面ｍに対して剥離可能に仮止めされている。第３テープ部５３は、第１テープ部５１と向かい合う外面ｎのうちで内端部５３ａの外面ｎに感圧性の第３接着剤６３が塗布されており、第１テープ部５１の内端部５１ａの外面ｎに剥離可能に仮止めされている。
【００１８】
図２において、前後胴周り域５，６の側縁部９ａと９ｂとの接合部位１５は、加熱下に加圧されるか超音波溶接機で処理されることによって、内面シート２０と第１外面シート３１と第２外面シート３２とが溶融して混然一体となり、フィルム状を呈している。この部位１５では、内面シート２０や第１外面シート３１において不織布を形成していた複数条の熱可塑性合成繊維が繊維としての形態を失っており、もはや個々の繊維に分離することがない。第１接着剤６１は、第１テープ部５１を第１外面シート３１に対して剥離不能に接合するためのもので、第１テープ部５１はその第１接着剤６１を介して第１外面シート３１における不織布の部分とフィルム状を呈している接合部位１５とに接合している。
【００１９】
図３は、ファスニングテープ１６が矢印Ａ方向へ引っ張られた状態にある図２と同様な図である。ファスニングテープ１６は、矢印Ａ方向へ引っ張られると、第１テープ部５１の外端部５１ｂと側縁部９ｂにおける第１外面シート３１との間に、外端部５１ｂを第１外面シート３１から剥離させようとする力が作用する。しかし、第１テープ部５１は、外端部５１ｂが第１接着剤６１を介してフィルム状の外面を有する部位１５に接合しているので、ファスニングテープ１６は強く引っ張られても、おむつ１から脱落するということがない。第１テープ部５１が図示例よりも中心線Ｐ寄りに位置するものであって、第１外面シート３１の不織布の部分にのみ接合していて部位１５には接合していないと、ファスニングテープ１６は、それが強く引っ張られることによって不織布の組織が破壊して、換言すると不織布における繊維の絡み合いが解けて、第１接着剤６１に接触している繊維が不織布の部分からむしりとられ、おむつ１から脱落するということがある。このような問題が生じるのは、第１接着剤６１とそれらの繊維との接着力の強さが外面シート３１における繊維どうしの絡み合いを解くのに十分なほど強いからである。この問題を解消するには、第１接着剤６１の接着力を単に強くしたり、弱くしたりするのではなく、第１テープ部５１を接合部位１５に接合したうえで、必要ならば第１接着剤６１の接着力を強くすることが好ましい。
【００２０】
図４は、丸めたおむつ１の斜視図である。図３において摘持域５２ｃを持って伸展したファスニングテープ１６は、その第２接着剤６２を使用しておむつ１の適宜の部位に止めることができるから、使用後のおむつ１は、図示例のように丸めておくことが好ましい。また、着用したおむつ１の胴周りにたるみがあるときには、ファスニングテープ１６を胴周りに沿って伸展させておむつ１にタックをとれば、テープ１６によってそのたるみを消すことができる。第２接着剤６２は、このようにファスニング手段として使用される他に、図２におけるようにファスニングテープ１６をＺ字型に保持するための手段としても使用されるものであるから、これらの使用目的に適うようにその接着力の強さが調整される。例えば、図４の如く使用されている第２接着剤６２の接着力は、ファスニングテープ１６を止めた部位に対して剥離不能となるように強くすることもできるし、剥離可能となるように弱くすることもできる。また、図２において、第２接着剤６２と向き合う第３テープ部５３の内面ｍには、第２接着剤６２の剥離を容易にするために、表面処理剤を塗布しておくことができる。
【００２１】
図５は、この発明の実施態様の一例を示す図２と同様な図である。このおむつ１におけるファスニングテープ１６では、テープ片５０が個別のテープ片である第１テープ部５１と第２テープ部５２と第３テープ部５３とからなる。第１テープ部５１の外端部５１ｂは折り返されて第３テープ部５３の外端部５３ｂに第１接着剤６１を介して剥離不能に接合している。第３テープ部５３の内端部５３ａは、第３接着剤６３を介して第１テープ部５１の内端部５１ａに剥離可能に接合するとともに、一部分は折り返されて第２テープ部５２の内端部５２ａに第４接着剤６４を介して剥離不能に接合している。第３テープ部５３の外端部５３ｂの先端部分５３ｃは、胴周り方向において第１テープ部５１の外端部５１ｂを越えて延び、第５接着剤６５を介してフィルム状の外面を有する接合部位１５に剥離不能に接合している。第１テープ部５１の内端部５１ａは、第１接着剤６１を介して第１外面シート３１に形成されているフィルム状部位６８に剥離不能に接合している。フィルム状部位６８は、第１外面シート３１の不織布が接合部位１５と実質的に同じようにフィルム状に変化している部位であって、内面シート２０と第１外面シート３１と第２外面シート３２とが加熱下に加圧されるかまたは超音波溶接処理されることにより、溶融して混然一体となっている。このように形成されたファスニングテープ１６は、第１接着剤６１や第５接着剤６５に接着力の強いものを使用しても、ファスニングテープ１６を引っ張ったときに、第１外面シート３１の繊維がこれらの接着剤６１，６５によってむしりとられて、ファスニングテープ１６がおむつ１から脱落するということがない。図２，５に示されているように、テープ片５０は、第１外面シート３１と向かい合っている部位のうちで胴周り方向における両端部の少なくとも一方が第１外面シート３１のフィルム状に変化している部位に接合していることが好ましい。
【００２２】
図６は、この発明の実施態様の一例を示す使い捨ての開放型おむつ１０１の部分破断平面図である。おむつ１０１は、熱可塑性合成繊維からなる不織布で形成された透液性内面シート２０と、熱可塑性合成繊維からなる不織布で形成された実質的に不透液性の外面シート３０と、これら両シート２０，３０間に介在する吸液性コア４０とからなり、股下域７と、股下域７の前方に位置する前胴周り域５と、股下域７の後方に位置する後胴周り域６とを有する。後胴周り域６における側縁部９ｂのそれぞれと端縁部１０ｂの幅方向中央部とには、図２で使用されたファスニングテープ１６が取り付けられており、それぞれのファスニングテープ１６は、仮想線で示されるように、摘持域５２ｃを引っ張ることによっておむつ１０１の外側へ伸展可能である。外面シート３０は、鎖線７１の内側の部位が加熱下に加圧されて、外面シート３０を形成していた不織布がフィルム状に変化している。ファスニングテープ１６は、この部位に第１接着剤６１（図２参照）を介して接合しているから、強く引っ張られても外面シート３０の組織が破壊しておむつ１０１から脱落するということがない。端縁部１０ｂにファスニングテープ１６を取り付けるときには、後胴周り域６における内面シート２０と外面シート３０とを端縁部１０ｂに沿って両側縁部９ｂ間の全体を連続的または間欠的に溶着して外面シート３０をフィルム状に変化させ、そこにファスニングテープ１６を接合することができる。
【００２３】
この発明において、不織布からなる図２の第１外面シート３１や図６の外面シート３０は、ファスニングテープ１６が取り付けられるべき部位であれば、いずれの部位であってもフィルム状に加工することができる。第１接着剤によって形成されているファスニング手段は、フック部材とループ部材とからなるメカニカルファスナのフック部材であって、第１外面シート３１を形成する不織布に対して止着可能なものを使用することもできる。このフック部材を使用するときには、図２の第３テープ部５３の外面ｎに不織布を使用して第２テープ部５２を剥離可能に仮止めすることが好ましい。この発明は、図示例の使い捨てのおむつの他に、トレーニングパンツ、失禁患者用パンツ等の着用物品において実施することができる。
【産業上の利用可能性】
【００２４】
この発明によれば、ファスニングテープの脱落を防止可能な着用物品の量産が可能になる。
【図面の簡単な説明】
【００２５】
【図１】使い捨ての着用物品（使い捨ておむつ）の部分破断斜視図。
【図２】図１のＩＩ−ＩＩ線切断面を示す図。
【図３】ファスニングテープが伸展した状態にある図２と同様な図。
【図４】丸められたおむつの斜視図。
【図５】実施態様の一例を示す図２と同様な図。
【図６】実施態様の他の一例を示す開放型おむつの部分破断平面図。
【符号の説明】
【００２６】
１    使い捨ての着用物品（おむつ）
５    前胴周り域
６    後胴周り域
７    股下域
９ａ，９ｂ，９ｃ    側縁部
１０ａ，１０ｂ    端縁部
１６    ファスニングテープ
５０    テープ片
６２    ファスニング手段（第２接着剤）
【図１】
2005124871.tif 000003
【図２】
2005124871.tif 000004
【図３】
2005124871.tif 000005
【図４】
2005124871.tif 000006
【図５】
2005124871.tif 000007
【図６】
2005124871.tif 000008